(57)【特許請求の範囲】
【請求項１】
供給されるオーディオ信号をミキシングする複数のミキシングバスと、入力される複数のオーディオ信号を制御して前記ミキシングバスへ出力する複数の入力チャンネル部と、前記ミキシングバスについて第１のモードと第２のモードを設定するモード設定手段とを備えるミキシング装置であって、
前記入力チャンネル部は、
入力されるオーディオ信号のレベルを制御する入力レベル制御手段と、
各ミキシングバスへ出力するオーディオ信号のレベルを個別に制御する複数の送出レベル制御手段と、
各ミキシングバスへのオーディオ信号の送出をオン／オフする複数の割当スイッチとを備えており、
前記モード設定手段において、前記ミキシングバスのモードが第１のモードに設定された際に、前記入力チャンネル部においては、前記送出レベル制御手段によるレベル制御が行われることなく、前記割当スイッチによるオン／オフ制御に応じて前記ミキシングバスへオーディオ信号が送出され、前記ミキシングバスのモードが前記第２のモードに設定された際に、前記送出レベル制御手段によるレベル制御が行われ、前記割当スイッチによるオン／オフ制御に応じて前記ミキシングバスへオーディオ信号が送出されることを特徴とするミキシング装置。
【請求項２】
さらに、前記複数のミキシングバスでミキシングされたオーディオ信号を制御して出力する出力チャンネル部が、前記複数のミキシングバスに個別に備えられており、
前記出力チャンネル部には、出力されるオーディオ信号のレベルを制御する出力レベル制御手段と、前記モード設定手段により設定された当該ミキシングバスのモードを表示するモード表示手段が備えられていることを特徴とする請求項１記載のミキシング装置。
【請求項３】
前記ミキシングバスのモードが第１のモードに設定された際に、前記ミキシングバスにおけるミキシングレベルが標準レベルとされ、前記ミキシングバスのモードが前記第２のモードに設定された際に、前記ミキシングバスにおけるミキシングレベルが、前記標準レベルを超えるミキシングレベルとされることを特徴とする請求項１記載のミキシング装置。
【請求項４】
供給されるオーディオ信号をミキシングするペアとされる２本ずつのバスからなる複数のミキシングバスペアと、入力される複数のオーディオ信号を制御して前記ミキシングバスペアへ出力する複数の入力チャンネル部と、前記ミキシングバスペアについて第１のモード、第２のモードあるいは第３のモードを設定するモード設定手段とを備えるミキシング装置であって、
前記入力チャンネル部は、
入力するオーディオ信号のレベルを制御する入力レベル制御手段と、
ステレオ信号の定位を制御する定位制御手段と、
各ミキシングバスペアへ出力されるオーディオ信号のレベルを個別に制御する複数の送出レベル制御手段と、
各ミキシングバスペアへのオーディオ信号の送出をオン／オフする複数の割当スイッチとを備えており、
前記モード設定手段において、前記ミキシングバスペアのモードが第１のモードに設定された際に、前記入力チャンネル部において、前記送出レベル制御手段によるレベル制御および前記定位制御手段による定位制御が行われることなく、前記割当スイッチによるオン／オフ制御に応じて前記ミキシングバスペアへオーディオ信号が送出され、前記ミキシングバスペアのモードが前記第２のモードに設定された際に、前記送出レベル制御手段によるレベル制御が行われることなく、前記定位制御手段による定位制御が行われて、前記割当スイッチによるオン／オフ制御に応じて前記ミキシングバスペアへオーディオ信号が送出され、前記ミキシングバスペアのモードが前記第３のモードに設定された際に、前記定位制御手段による定位制御が行われることなく、前記送出レベル制御手段によるレベル制御が行われて、前記割当スイッチによるオン／オフ制御に応じて前記ミキシングバスペアへオーディオ信号が送出されることを特徴とするミキシング装置。
【請求項５】
前記ミキシングバスペアのモードが前記第１のモードおよび前記第２のモードに設定された際に、前記ミキシングバスペアのミキシングレベルが標準レベルとされ、前記ミキシングバスペアのモードが前記第３のモードに設定された際に、前記ミキシングバスペアのミキシングレベルが前記標準レベルを超えるミキシングレベルとされることを特徴とする請求項４記載のミキシング装置。
【発明の詳細な説明】
【０００１】
【発明が属する技術分野】
この発明は、入力されたオーディオ信号をミキシングしていくつかのミキシング・グループにまとめてパワーアンプや各種録音機器等に送り出したり、エフェクタや演奏しているプレーヤに送り出すミキシング装置に関する。
【０００２】
【従来の技術】
従来、多数のマイクロホンあるいは電気・電子楽器などから出力されるオーディオ信号のレベルや周波数特性を調整し、ミキシングしていくつかのミキシング・グループにまとめてパワーアンプや各種録音機器に送り出したり、エフェクタや演奏しているプレーヤに送り出すミキシング装置が知られている。ミキシング装置を操作するオペレータは、楽器音や歌唱の各オーディオ信号の音量や音色を、ミキシング・コンソールにおける各種パネル操作子を操作することにより、演奏を最もふさわしく表現していると思われる状態に調整している。ミキシング装置は、入力信号系列として複数のマイク／ライン入力の入力チャンネルと該入力チャンネルから出力される信号をミキシングするバスと、ミキシングされた信号を出力する出力系列である出力チャンネルを備える。各入力チャンネルはそれぞれ入力する信号の周波数特性やミキシングレベル等を制御して各ミキシングバスに出力し、各ミキシングバスはそれぞれ入力する信号をミキシングして対応する出力チャンネルに出力する。各出力チャンネルはミキシングバスから入力する信号のレベルを制御して出力する。
【０００３】
【発明が解決しようとする課題】
ミキシング装置が備えるミキシングバスには、各バスごとの個別のレベル制御が可能なＡＵＸバスと、各バスごとの個別のレベル制御のできないＧＲＯＵＰバスがある。ＧＲＯＵＰバスは、ステレオバスにおける最終的なミキシングの前段階として、複数入力チャンネルのうちのグループ化したい入力チャンネルのオーディオ信号をミキシングするバスとして使用される。また、ＡＵＸバスは、効果を付与するエフェクタへ送出するオーディオ信号や演奏を行っているプレーヤに戻すためのオーディオ信号をミキシングするバスとして使用される。この場合、エフェクタ送る信号レベルが各入力チャンネルごとに独立とされているので、各入力チャンネルごとにかけるエフェクトの深さを制御することができる。また、どの入力チャンネルの音量レベルをどのくらい必要としているのかは、各プレーヤごとに異なる場合が多いが、各プレーヤの希望に合った音量レベルで各プレーヤに戻すことができる。
【０００４】
通常のミキシング装置では、ＧＲＯＵＰバスとＡＵＸバスの数はそれぞれ固定とされている。また、ＡＵＸバスのみ有し、ＧＲＯＵＰバスを有さないモニタタイプのミキシング装置も存在している。しかしながら、使用される状況に応じて、必要とされるバスの本数が変わる場合がある。従来のミキシング装置では、そのバスの構成にあった状況でしか使用することができず、異なる使用状況に柔軟に対応することができないという問題点があった。
例えば、演劇等で各役者にミキシングしたオーディオ信号の戻しを送る場合は、役者の人数に応じた数のＡＵＸバスが必要とされる。また、複数入力チャンネルにエフェクトをかけられるエフェクタを用意すれば、エフェクタの数に応じた数のＡＵＸバスが必要となる。さらに、大きなコンサートにおいては、客席向けのオーディオ信号をミキシングするミキシング装置とプレーヤ向けのオーディオ信号をミキシングするミキシング装置の２台を使うことがあるが、客席向けのミキシング装置ではステレオバスにおける最終的なミキシングの前段階として使用されるＧＲＯＵＰバスが多数必要であり、プレーヤ向けのミキシング装置ではプレーヤに戻すためのオーディオ信号をミキシングするＡＵＸバスが多数必要とされる。
【０００５】
ＡＵＸバスのみでＧＲＯＵＰバスを有さないミキシング装置であれば、ＡＵＸバスをＧＲＯＵＰバスの代わりに使うことも考えられるが、その場合はＡＵＸバスごとのレベルつまみを所定値（例えば、ゼロデシベル）に設定して固定しなければならず、調整が煩雑になると共に固定することが困難であるという問題点がある。また、その場合でもステレオバスのパンに連動することはできないので、ステレオ構成のＧＲＯＵＰバスとして使用することが困難になるという問題点が生じる。
【０００６】
そこで、本発明は同じバスを異なるバスに切り換えて使用することができるミキシング装置を提供することを目的としている。
【０００７】
【課題を解決するための手段】
上記目的を達成するために、本発明のミキシング装置は、第１のモードに設定された際に、ミキシングバスにはレベル制御が行われることなくオーディオ信号が送出され、第２のモードに設定された際には、ミキシングバスにはレベル制御を行ったオーディオ信号が送出されるようにしている。これにより、ミキシングバスをＧＲＯＵＰバスやＡＵＸバスに切り換えて使用することができるようになる。この場合、ミキシングバスはステレオ用のペアで設定するようにしてもよい。また、ミキシングバスがいずれのモードに設定されているかを出力チャンネル部において表示するようにしたので、ミキシングバスに設定されているモードを容易に認識することができる。さらに、第１のモードに設定された際のミキシングバスのミキシングレベルを標準レベルとし、第２のモードに設定された際のミキシングバスのミキシングレベルを標準レベルを超えたミキシングレベルとすることにより、いずれのモードに設定されていても設定されたミキシングバスのモードに適したミキシングレベルに自動的に設定されるようになる。
【０００８】
【発明の実施の形態】
本発明の実施の形態にかかるミキシング装置の構成を図１に示す。
図１に示す本発明にかかるミキシング装置１は、アナログのミキシング装置とされており、複数の入力チャンネル部１０，１１・・・と、ＡＵＸステレオバスAUX ST、ステレオバスＳＴ、ＧＲＯＵＰ／ＡＵＸバス（Ｇ／Ａバス）と、それぞれのバスの出力チャンネル部から構成されている。入力チャンネル部１０はモノラル入力チャンネル部とされ、その詳細構成が図２に示されている。また、入力チャンネル部１１はステレオ入力チャンネル部とされ、その詳細構成が図３に示されている。なお、例えばＡＵＸステレオバスAUX STは８本、ステレオバスＳＴは２本、ＧＲＯＵＰ／ＡＵＸバス（Ｇ／Ａバス）は６本とされている。
【０００９】
図２に示すモノラルのオーディオ信号が入力される入力チャンネル部１０について説明する。図２において、ＩＮから入力されたアナログのオーディオ信号は、入力レベル制御部Ｇ１においてゲインが調整されることにより入力レベルが制御される。次いで、イコライザEQ1においてオーディオ信号の周波数特性が調整され、チャンネルスイッチ（CH_ON）ＳＷ１を介してチャンネルフェーダFADER1に供給される。チャンネルフェーダFADER1の操作子位置を上下することにより、入力チャンネル部１０におけるステレオバスＳＴおよび後述するＧＲＯＵＰバスモードとされた際のＧ／Ａバスへの送出レベルを制御することができる。チャンネルフェーダFADER1における入力側と出力側には補助バスＳＢ１および補助バスＳＢ２が接続されており、チャンネルフェーダFADER1のプリ（前）／ポスト（後）出力がそれぞれ出力されている。
【００１０】
ここで、ＡＵＸステレオバスAUX STへの出力について説明する。補助バスＳＢ１からのプリ出力あるいは補助バスＳＢ２からのポスト出力のいずれかがスイッチＳＷ２により選択される。すなわち、チャンネルフェーダFADER1のプリ／ポスト出力のいずれかがスイッチＳＷ２により選択されて、レベル制御部LVL1に供給されている。スイッチＳＷ２で選択されたいずれかのオーディオ信号は、レベル制御部LVL1において、ＡＵＸステレオバスAUX STへの出力レベルが制御される。次いで、レベル制御部LVL1の出力は定位制御部PAN1に供給されて、任意の定位位置に定位制御されて、定位制御されたステレオのＬ，Ｒ出力が、ＡＵＸバス割当スイッチ（AUX_ON）ＳＷ３を介してペアとされている２本のＡＵＸステレオバスAUX STにそれぞれ出力されている。ＡＵＸバス割当スイッチ（AUX_ON）ＳＷ３は、２回路が連動して動作するようにされている。このＡＵＸステレオバスAUX STは、演奏時にプレーヤに戻すためのミキシングを行ったり、エフェクタに送るミキシングを行っている。そして、レベル制御部LVL1を調整することによりプレーヤに所望のレベルでミキシングを行得るようにレベル制御可能とされている。また、エフェクタへの送出レベルに応じてエフェクトの深さを変更することができることから、レベル制御部LVL1を調整することによりエフェクトの深さを調整することができる。
【００１１】
次に、ステレオバスＳＴへの出力について説明する。チャンネルフェーダFADER1によりレベル制御されたオーディオ信号の出力は、定位制御部PAN2に供給されて任意の定位位置に定位制御され、定位制御されたステレオのＬ，Ｒ出力が、ステレオバス割当スイッチ（ST_ON）ＳＷ４を介してペアとされている２本のステレオバスＳＴにそれぞれ出力されている。ステレオバス割当スイッチ（ST_ON）ＳＷ４は、２回路が連動して動作するようにされている。このステレオバスＳＴが、メインのミキシングバスとされている。
【００１２】
次に、本発明のミキシング装置１において特徴的なＧ／Ａバスへの出力について説明する。モードスイッチ（MODE）ＳＷ７は、Ｇ／ＡバスをＧＲＯＵＰバスモードあるいはＡＵＸバスモードに切り換える２回路３接点の電子スイッチであり、ミキシング装置１のパネルにはモードスイッチ（MODE）ＳＷ７は設けられておらず、表示を制御する操作子を操作することにより表示器の表示を選択することによりモードを切り換えられるようにされている。この場合、モードスイッチ（MODE）は各入カチャンネル部に設けられており、ペアとされている２本のＧ／Ａバス毎に設定されるモードに従って、全ての入力チャンネルのモードスイッチ（MODE）が同時に切り換えられるようになされている。モードスイッチ（MODE）ＳＷ７において、可動接点ｄ，ｈが固定接点ａ，ｅに切り換えられた場合はステレオのＧＲＯＵＰバスモードとされ、可動接点ｄ，ｈが固定接点ｂ，ｆに切り換えられた場合はモノラルのＧＲＯＵＰバスモードとされ、可動接点ｄ，ｈが固定接点ｃ，ｇに切り換えられた場合はＡＵＸバスモードとされる。
【００１３】
すなわち、固定接点ａには定位制御部PAN2において定位制御されたステレオのＬ（Ｒ）出力が供給され、固定接点ｅには定位制御部PAN2において定位制御されたステレオのＲ（Ｌ）出力が供給されている。このため、可動接点ｄ，ｈが固定接点ａ，ｅに切り換えられると、定位制御部PAN2において定位制御されたステレオのＬ，Ｒ出力がそれぞれモードスイッチ（MODE）ＳＷ７から出力されて、Ｇ／Ａバス割当スイッチ（G/A_ON）ＳＷ８，ＳＷ９を介してペアとされている２本のＧ／Ａバスにそれぞれ出力されるようになる。
また、固定接点ｂおよび固定接点ｆにはチャンネルフェーダFADER1のポスト出力が供給されている。このため、可動接点ｄ，ｈが固定接点ｂ，ｆに切り換えられると、チャンネルフェーダFADER1においてレベル制御されたモノラルの出力がモードスイッチ（MODE）ＳＷ７から出力されて、Ｇ／Ａバス割当スイッチ（G/A_ON）ＳＷ８，ＳＷ９を介してペアとされている２本のＧ／Ａバスにそれぞれ出力されるようになる。
【００１４】
さらに、固定接点ｃにはスイッチＳＷ５で選択された出力がレベル制御部LVL2でレベル制御されて供給され、固定接点ｇにはスイッチＳＷ６で選択された出力がレベル制御部LVL3でレベル制御されて供給されている。そして、スイッチＳＷ５およびスイッチＳＷ６はチャンネルフェーダFADER1のプリ／ポスト出力のいずれかを選択している。このように、スイッチＳＷ５とレベル制御部LVL2の構成と、スイッチＳＷ６とレベル制御部LVL3の構成とは、ＡＵＸステレオバスAUX STへ出力するためのスイッチＳＷ２とレベル制御部LVL1の構成と同様とされている。このため、可動接点ｄ，ｈが固定接点ｃ，ｇに切り換えられるとＡＵＸバスモードとなり、レベル制御部LVL2およびレベル制御部LVL3においてレベル制御された出力がそれぞれモードスイッチ（MODE）ＳＷ７から出力されて、Ｇ／Ａバス割当スイッチ（G/A_ON）ＳＷ８，ＳＷ９を介してペアとされている２本のＧ／Ａバスにそれぞれ出力されるようになる。
【００１５】
次に、図３に示すステレオのオーディオ信号が入力される入力チャンネル部１１について説明するが、モノラル入力の入力チャンネル部１０をステレオ入力とした構成とされていることから簡単に説明する。
図３において、ＩＮＬおよびＩＮＲから入力されたアナログのＬ、Ｒのステレオのオーディオ信号は、入力レベル制御部Ｇ１０，Ｇ１１においてゲインが調整されることにより入力レベルが制御される。次いで、２系統を有するイコライザEQ10においてステレオＬ，Ｒ信号の周波数特性が調整され、チャンネルスイッチ（CH_ON）ＳＷ１０を介して連動してレベル制御される２系統のチャンネルフェーダFADER10に供給され、ステレオＬ，Ｒ信号のレベルが連動して制御される。
【００１６】
チャンネルフェーダFADER10におけるプリ／ポスト出力を選択するために、補助バスＳＢ１０，ＳＢ１１からのプリ出力あるいは補助バスＳＢ１４，ＳＢ１５からのポスト出力のいずれかがスイッチＳＷ１１，ＳＷ１２により選択されている。スイッチＳＷ１１，ＳＷ１２で選択されたいずれかのステレオＬ，Ｒ信号は、レベル制御部LVL10,LVL11においてレベル制御されることにより、ＡＵＸステレオバスAUX STへのステレオＬ，Ｒ信号の出力レベルが制御される。次いで、２系統が作動的に動作されるバランス制御部BAL10において任意の定位位置に定位制御され、２回路のＡＵＸバス割当スイッチ（AUX_ON）ＳＷ１３を介してペアとされている２本のＡＵＸステレオバスAUX STにそれぞれ出力される。
【００１７】
次に、ステレオバスＳＴへの出力について説明する。チャンネルフェーダFADER10により送出レベルが制御されたステレオＬ，Ｒの出力は、２系統が作動的に動作されるバランス制御部BAL11において任意の定位位置に定位制御され、２回路のステレオバス割当スイッチ（ST_ON）ＳＷ１４を介してペアとされている２本のステレオバスＳＴにそれぞれ出力される。
【００１８】
次に、本発明のミキシング装置１において特徴的なＧ／Ａバスへの出力について説明する。モードスイッチ（MODE）ＳＷ１７は、ペアとされている２本のＧ／Ａバス毎に設定されるモードに従って、Ｇ／ＡバスをＧＲＯＵＰバスモードあるいはＡＵＸバスモードに切り換える２回路３接点の電子スイッチとされている。モードスイッチ（MODE）ＳＷ１７において、可動接点ｄ，ｈが固定接点ａ，ｅに切り換えられた場合は、２系統が作動的に動作されるバランス制御部BAL11において任意の定位位置に定位制御されたステレオのＧＲＯＵＰバスモードとされる。また、可動接点ｄ，ｈが固定接点ｂ，ｆに切り換えられた場合は、２系統のチャンネルフェーダFADER10からの出力である定位制御されないステレオのＧＲＯＵＰバスモードとされる。
【００１９】
さらに、可動接点ｄ，ｈが固定接点ｃ，ｇに切り換えられた場合は、補助バスＳＢ１２の出力あるいは補助バスＳＢ１３の出力のいずれかがスイッチＳＷ１５，ＳＷ１６で選択され、それぞれの選択出力のレベルがレベル制御部LVL12,LVL13においてレベル制御されてモードスイッチ（MODE）ＳＷ１７から出力される。このモードスイッチ（MODE）ＳＷ１７からの出力は、Ｇ／Ａバス割当スイッチ（G/A_ON）ＳＷ1８，ＳＷ1９を介してペアとされている２本のＧ／Ａバスにそれぞれ出力されるようになる。この場合は、補助バスＳＢ１２にはイコライザEQ10のステレオＬ，Ｒ出力が２本の抵抗Ｒにより混合されてモノラル信号として出力され、補助バスＳＢ１３にはチャンネルフェーダFADER10からのステレオＬ，Ｒ出力が２本の抵抗Ｒにより混合されてモノラル信号として出力されることから、モノラルのＡＵＸバスモードとされる。
【００２０】
図１に戻り、ＡＵＸステレオバスAUX STに出力されたモノラルの入力チャンネル部１０からの出力やステレオの入力チャンネル部１１からの出力は、ペアとされている各バスにおいてミキシングされて出力される。具体的には、ペアとされている一方のバスへの出力はサミングアンプAMP20でサミングされて、出力フェーダFADER20において出力レベルがレベル制御されてＡＵＸバス出力スイッチ（AUXO_ON）ＳＷ２０を介して出力されている。そして、ペアとされている他方のバス出力の構成も同様の構成とされている。ＡＵＸステレオバスAUX STからのバス出力は、前述したように演奏しているプレーヤに戻されたり、エフェクタに供給される。
【００２１】
また、ステレオバスＳＴに出力されたモノラルの入力チャンネル部１０からの出力やステレオの入力チャンネル部１１からの出力は、ペアとされている各バスにおいてミキシングされて出力される。具体的には、ペアとされている一方のバスへの出力は、サミングアンプAMP21でサミングされて、出力フェーダFADER21において出力レベルがレベル制御されて２回路のステレオバス出力スイッチ（STO_ON）ＳＷ２１を介して出力される。さらに、ステレオバスＳＴの他方のバスへの出力は、サミングアンプAMP22でサミングされて、出力フェーダFADER22において出力レベルがレベル制御されて２回路のステレオバス出力スイッチ（STO_ON）ＳＷ２１を介して出力される。
【００２２】
さらに、Ｇ／Ａバスに出力されたモノラルの入力チャンネル部１０からの出力やステレオの入力チャンネル部１１からの出力は、ペアとされている一方のバスにおいてミキシングされて出力される。具体的には、ペアとされている一方のバスへの出力は、サミングアンプAMP23でサミングされて、出力フェーダFADER23において出力レベルがレベル制御されてＧ／Ａバス出力スイッチ（G/AO_ON）ＳＷ２２を介して出力される。また、出力フェーダFADER23の出力は、定位制御部PAN20に供給されて任意の定位位置に定位制御され、定位制御部PAN20からのステレオＬ，Ｒ信号がステレオバス供給スイッチ（TO_ST）ＳＷ２３，ＳＷ２４を介してペアとされているステレオバスＳＴに供給されている。ここで、Ｇ／Ａバス出力スイッチ（G/A_ON）ＳＷ２２と、ステレオバス供給スイッチ（TO_ST）ＳＷ２３，ＳＷ２４のオン／オフは、Ｇ／Ａバスのモードとは関係がない。
【００２３】
例えば、あるＧ／Ａバスにおいてエフェクタに供給する信号をミキシングしようとする場合は、そのＧ／Ａバスを含むペアをＡＵＸモードに設定すると共に、Ｇ／Ａバス出力スイッチ（G/A_ON）ＳＷ２２をオンし、ステレオバス供給スイッチ（TO_ST）ＳＷ２３，ＳＷ２４をオフすればよい。また、あるＧ／Ａバスにおいて任意の入力チャンネル部からの信号をモノラルミキシングしてグループ化し、そのミキシングされたモノラル信号をステレオバスＳＴへ供給しようとする場合は、そのＧ／Ａパスを含むペアをモノラルのＧＲＯＵＰモードに設定すると共に、Ｇ／Ａバス出力スイッチ（G/A_ON）ＳＷ２２をオフする。そして、ステレオバス供給スイッチ（TO_ST）ＳＷ２３，ＳＷ２４をオンし、さらに、定位制御部PAN20で適宜定位を制御すればよい。さらに、あるＧ／Ａバスにおいて任意のペアとされた入力チャンネル部からの信号をステレオミキシングしてグループ化し、そのミキシングされたステレオ信号をステレオバスＳＴへ供給しようとする場合は、そのＧ／Ａバスを含むペアをステレオのＧＲＯＵＰモードに設定すると共に、Ｇ／Ａバス出力スイッチ（G/A_ON）ＳＷ２２をオフ、ステレオバス供給スイッチ（TO_ST）ＳＷ２３，ＳＷ２４をオンし、さらに、ペアとされたＧ／Ａバスのうちの奇数番目のＧ／Ａバスに対応した定位制御部PAN20をステレオのＬに、偶数番目の定位制御部PAN20をステレオのＲに設定すればよい。
【００２４】
ところで、本発明のミキシング装置１においては、Ｇ／ＡバスをＧＲＯＵＰバスモードあるいはＡＵＸバスモードに切り換えた際に、切り換えられたモードに適したミキシングゲインに切り換えるようにしている。ここで、ＡＵＸバスの場合は、送出レベルが制御可能とされており、そのレベル制御は一般に基準レベルである０ｄＢ付近で行われることが多くされている。そこで、ＡＵＸバスモードとされた際にはミキシングゲインを＋６ｄＢとして基準レベルである０ｄＢ前後においてレベル制御を行えるようにしている。また、ＧＲＯＵＰバスの場合は、送出レベルを制御するようにされていないことから、ＧＲＯＵＰバスモードとされた際にはミキシングゲインを基準レベルである０ｄＢに固定するようにしている。なお、この場合ミキシングゲインを＋６ｄＢにしてその後に−６ｄＢすることが考えられるが、このようにすると、ミキシングにおけるＳ／Ｎが劣化することから、例えば０ｄＢに固定するようにしている。具体的には、モードスイッチ（MODE）ＳＷ７，ＳＷ１７の切り換えに連動させて各入力チャンネル部１０，１１からＧ／Ａバスへ入力するところの抵抗値を切り換えることによりサミングアンプAMP23のゲインを変更し、これにより、Ｇ／Ａバスにおけるミキシングにおける各入力チャンネル部１０，１１からＧ／Ａバスに送出されるオーディオ信号のミキシングゲインを変更するようにしている。
【００２５】
ここで、本発明にかかるミキシング装置１における電動フェーダや各種スイッチの制御の構成を図８に示す。
図８に示す電動フェーダ６２は、入力チャンネル部１０におけるチャンネルフェーダFADER1、入力チャンネル部１１における２系統のチャンネルフェーダFADER10とされている。ここで、電動フェーダ６２を操作すると、その操作位置をマイコン６１が検出して減衰制御手段６３を構成している対応するＶＣＡ（Voltage controlled Amplifire）を操作位置に応じてマイコン６１が制御する。これにより、電動フェーダ６２の操作に応じて入力チャンネル部１０，１１・・・においてレベル制御されるようになる。なお、マイコン６１は、ＣＰＵ（Central Processing Unit）やＤＳＰ（Digital Signal Processor）等の処理装置と、処理装置が実行する動作ソフトウェアや各種データ等が記憶されるメモリを備えている。
【００２６】
また、タクトスイッチ６４は入力チャンネル部１０，１１における各種スイッチとされており、タクトスイッチ６４を操作すると、その操作をマイコン６１が検出して切換制御手段６５を構成している操作されたスイッチに対応する電子スイッチのオン／オフ状態を反転させている。このように、減衰制御手段６３をＶＣＡとすると共に切換制御手段６５を電子スイッチとすることにより、シーンメモリからシーンリコールを可能とすることができると共に、ミキシング装置内におけるアナログ信号の配線を最短距離で行うことができるようになる。なお、シーンメモリには、ミキシング装置１のＣＰＵ制御された全フェーダと全スイッチの設定状態を示すシーンデータを、複数シーン分保存、呼出可能とされており、シーン番号を指定してストア操作することにより、ミキシング装置１のＣＰＵ制御された全フェーダと全スイッチの設定状態（カレントシーン）が指定されたシーン番号のシーンデータとしてシーンメモリに保存される。そして、シーン番号を指定してリコール操作することにより、指定されたシーン番号のシーンデータが読み出され、そのシーンデータに応じた設定状態がミキシング装置１に再現される。
【００２７】
さらに、操作子６７は入力チャンネル部１０におけるモードスイッチ（MODE）ＳＷ７、入力チャンネル部１１におけるモードスイッチ（MODE）ＳＷ１７等の全ての入力チャンネル部のモードスイッチを同時に切り換えて、Ｇ／Ａバスのモードをペアとされているバス毎に切り換えるようにした操作子であり、アップ／ダウンスイッチとエンターキーとを備えている。ここで、操作子６７におけるアップ／ダウンスイッチを操作すると、その操作をマイコン６１が検出して操作に応じて表示器６６に表示されるモード設定状態がペアとされているＧ／Ａバス毎に順次変更して表示される。そして、設定したいＧ／Ａバスおよびそのモード状態の表示となった際に、エンターキーを操作することにより、その操作をマイコン６１が検出して、表示されているＧ／Ａバスのモード状態が表示されているモードに設定されるようになる。
【００２８】
次に、図４に本発明にかかるミキシング装置１に設けられている入力チャンネルモジュール２０の外観構成を示す。
図４に示す入力チャンネルモジュール２０はモノラルの入力チャンネル部１０やステレオの入力チャンネル部１１の入力チャンネルモジュールとされており、ミキシング装置１に必要に応じて複数装着できるようにされている。以下、入力チャンネル部１０および入力チャンネル部１１に対応して説明する。最上段に設けられている入力ゲインつまみは、入力レベル制御部Ｇ１あるいは入力レベル制御部Ｇ１０，Ｇ１１のゲイン調整を行うつまみであり、入力チャンネル部１１においてはステレオ入力の入力ゲインを調整することから２軸の２重つまみとされている。２段目のイコライザ制御つまみは、イコライザEQ1あるいはイコライザEQ10における周波数特性を調整する複数のつまみである。
【００２９】
３段目のＡＵＸ  ＰＡＮ＆ＬＶＬつまみは、２重つまみとされている内側のつまみがレベル制御部LVL1あるいはレベル制御部LVL10,LVL11のレベル制御を行うつまみとされ、外側のつまみが定位制御部PAN1あるいはバランス制御部BAL10の定位制御を行うつまみとされている。当該つまみの直下に設けられている「ＯＮ」と表記されているスイッチは、ＡＵＸバス割当スイッチ（AUX_ON）ＳＷ３あるいはＡＵＸバス割当スイッチ（AUX_ON）ＳＷ１３であり、「Ｐ」と表記されているスイッチはプリ／ポスト出力を選択するスイッチＳＷ２あるいはスイッチＳＷ１２である。なお、図４に示す入力チャンネルモジュール２０では、ペアとされているＡＵＸステレオバスAUX STが４セット（８本）、ペアとされているステレオバスＳＴが１セット（２本）、および、６本のＧ／Ａバスがミキシング装置１に設けられているものとされている。このため、３段目のＡＵＸステレオバスAUX STに関連するつまみとスイッチのセットが４セット設けられている。
【００３０】
４段目のつまみとスイッチのセットはＧ／Ａバスに関連しており、Ｇ／Ａバスが６本設けられていることから、４段目のつまみとスイッチのセットは６セット設けられている。各セットにおけるつまみはレベル制御部LVL2,LVL3やレベル制御部LVL12,LVL13のいずれか一つのレベル制御するつまみとされている。つまみの直下に設けられている「ＯＮ」と表記されているスイッチは、Ｇ／Ａバス割当スイッチ（G/A_ON）ＳＷ８，ＳＷ９やＧ／Ａバス割当スイッチ（AUX_ON）ＳＷ１８，ＳＷ１９のいずれか一つのスイッチであり、「Ｐ」と表記されているスイッチはプリ／ポスト出力を選択するスイッチＳＷ５，ＳＷ６やスイッチＳＷ１５，ＳＷ１６のいずれか一つのスイッチである。
【００３１】
下から２段目のつまみとスイッチのセットはステレオバスＳＴに関連しており、１セットのステレオバスＳＴとされていることから、つまみとスイッチのセットは１セットとされている。ＰＡＮつまみは、定位制御部PAN2あるいはバランス制御部BAL11の定位制御を行うつまみであり、ＳＴスイッチはステレオバス割当スイッチ（ST_ON）ＳＷ４あるいはステレオバス割当スイッチ（ST_ON）ＳＷ１４とされている。最下段の「ＯＮ」と表記されているスイッチは、チャンネルスイッチ（CH_ON）ＳＷ１あるいはチャンネルスイッチ（CH_ON）ＳＷ１０であり、フェーダはチャンネルフェーダFADER1あるいはチャンネルフェーダFADER10である。
【００３２】
次に、図５に本発明にかかるミキシング装置１に設けられているＡＵＸステレオバス出力モジュール３０の外観構成を示す。
図５に示すＡＵＸステレオバス出力モジュール３０は、ペアとされた１セットのＡＵＸステレオバスAUX STにおけるＡＵＸステレオバス出力モジュールとされており、「ＯＮ」と表記されている２つのスイッチは、ＡＵＸバス出力スイッチ（AUXO_ON）ＳＷ２０を含む１セットのＡＵＸバス出力スイッチ（AUXO_ON）であり、フェーダは出力フェーダFADER20を含む１セットの出力フェーダとされている。
【００３３】
次に、図６に本発明にかかるミキシング装置１に設けられているＧＲＯＵＰ／ＡＵＸバス出力モジュール４０の外観構成を示す。
図６に示すＧＲＯＵＰ／ＡＵＸバス出力モジュール４０は、ペアとされた１セットのＧ／ＡバスにおけるＧＲＯＵＰ／ＡＵＸバス出力モジュールとされている。下段における「ＯＮ」と表記されている２つのスイッチは、Ｇ／Ａバス出力スイッチ（G/AO_ON）ＳＷ２２を含む一対のＧ／Ａバス出力スイッチ（G/AO_ON）であり、フェーダは出力フェーダFADER23を含む一対の出力フェーダとされている。また、上段のＰＡＮつまみは定位制御部PAN20の定位制御を行う一対のつまみであり、ＳＴスイッチはステレオバス供給スイッチ（TO_ST）ＳＷ２３，ＳＷ２４である。さらに、モード表示器４１はモードスイッチ（MODE）ＳＷ７，ＳＷ１７の切り換えに連動して表示状態が切り換わる表示器であり、当該ペアとされた１セットのＧ／ＡバスのモードがステレオのＧＲＯＵＰバスモードとされた場合は「ＧＲ  ＳＴ」のＬＥＤが点灯し、モノラルのＧＲＯＵＰバスモードとされた場合は、「ＧＲ  Ｍ×２」のＬＥＤが点灯し、ＡＵＸバスモードとされた場合は、「ＡＵＸ」のＬＥＤが点灯するようにされている。
【００３４】
次に、図７に本発明にかかるミキシング装置１に設けられているステレオバス出力モジュール５０の外観構成を示す。
図７に示すステレオバス出力モジュール５０は、ペアとされた１セットのステレオバスＳＴにおけるステレオバス出力モジュールとされており、「ＯＮ」と表記されているスイッチは、２回路のステレオバス出力スイッチ（STO_ON）ＳＷ２１であり、一対のフェーダは１セットのステレオバスＳＴの出力レベルをレベル制御する出力フェーダFADER21および出力フェーダFADER22である。
【００３５】
以上の説明では、アナログのミキシング装置について説明したが、本発明にかかるミキシング装置におけるＧＲＯＵＰバスとＡＵＸバスとに切り換え可能なＧ／Ａバスをディジタル・ミキシング装置にも適用することができる。
本発明のミキシング装置１においては、Ｇ／ＡバスのバスモードをＣＰＵ制御で制御された電子スイッチ（アナログスイッチＩＣ、リレーなど）により切り換えるようになっていたが、所定のスイッチ操作に応じてＣＰＵを介することなく電子スイッチを直接切り換えるようにしてもよい。あるいは、電子スイッチではなくメカニカルスイッチにより機械的に切り換えるようにしてもよい。
【００３６】
【発明の効果】
本発明は以上のように構成されているので、第１のモードに設定された際に、ミキシングバスにはレベル制御が行われることなくオーディオ信号が送出され、第２のモードに設定された際には、ミキシングバスにはレベル制御を行ったオーディオ信号が送出されるようにしている。これにより、ミキシングバスをＧＲＯＵＰバスやＡＵＸバスに切り換えて使用することができるようになる。この場合、ミキシングバスはステレオ用のペアで設定するようにしてもよい。また、ミキシングバスがいずれのモードに設定されているかを出力チャンネル部において表示するようにしたので、ミキシングバスに設定されているモードを容易に認識することができる。さらに、第１のモードに設定された際のミキシングバスのミキシングレベルを標準レベルとし、第２のモードに設定された際のミキシングバスのミキシングレベルを標準レベルを超えたミキシングレベルとすることにより、いずれのモードに設定されていても設定されたミキシングバスのモードに適したミキシングレベルに自動的に設定されるようになる。
【図面の簡単な説明】
【図１】  本発明の実施の形態にかかるミキシング装置の構成を示す図である。
【図２】  本発明のミキシング装置の実施の形態にかかるモノラルの入力チャンネル部の詳細構成を示す図である。
【図３】  本発明のミキシング装置の実施の形態にかかるステレオの入力チャンネル部の詳細構成を示す図である。
【図４】  本発明のミキシング装置の実施の形態にかかる入力チャンネルモジュールの外観構成を示す図である。
【図５】  本発明のミキシング装置の実施の形態にかかるＡＵＸステレオバス出力モジュールの外観構成を示す図である。
【図６】  本発明のミキシング装置の実施の形態にかかるＧＲＯＵＰ／ＡＵＸバス出力モジュールの外観構成を示す図である。
【図７】  本発明のミキシング装置の実施の形態にかかるステレオバス出力モジュールの外観構成を示す図である。
【図８】  本発明のミキシング装置の実施の形態にかかる電動フェーダや各種スイッチの制御の構成を示す図である。
【符号の説明】
１  ミキシング装置、１０  入力チャンネル部、１１  入力チャンネル部、２０入力チャンネルモジュール、３０  ステレオバス出力モジュール、３０  ＡＵＸステレオバス出力モジュール、４０  ＧＲＯＵＰ／ＡＵＸバス出力モジュール、４１  モード表示器、５０  ステレオバス出力モジュール、６１  マイコン、６２  電動フェーダ、６３  減衰制御手段、６４  タクトスイッチ、６５  切換制御手段、６６  表示器、６７  操作子、AMP20，AMP21，AMP22，AMP23  サミングアンプ、AUX ST  ＡＵＸステレオバス、BAL10，BAL11  バランス制御部、EQ1，EQ10  イコライザ、FADER1，FADER10  チャンネルフェーダ、FADER20，FADER21，FADER22，FADER23  出力フェーダ、Ｇ１，Ｇ１０，Ｇ１１  入力レベル制御部、LVL1，LVL2，LVL3，LVL10，LVL11，LVL12，LVL13  レベル制御部、PAN1，PAN2，PAN20  定位制御部、Ｒ  抵抗、ＳＢ１，ＳＢ２，ＳＢ１０，ＳＢ１１，ＳＢ１２，ＳＢ１３，ＳＢ１４，ＳＢ１５  補助バス、ＳＴ  ステレオバス
【図１】
0003671947.tif 000002
【図２】
0003671947.tif 000003
【図３】
0003671947.tif 000004
【図４】
0003671947.tif 000005
【図５】
0003671947.tif 000006
【図６】
0003671947.tif 000007
【図７】
0003671947.tif 000008
【図８】
0003671947.tif 000009